【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
内視鏡又は顕微鏡のレンズ群であって、
それぞれ均一の屈折率の１つ又は複数のレンズ要素を備え、前記１つ又は複数のレンズ要素は、
ｉ）高い波面収差補正で、前記レンズ群の近位面に実質的に接触して配置される光学導波管の出口先端部から受け取られる駆動光又は励起光を、前記レンズ群の遠位面を超えて狭い点像分布関数を有する点観測場に収束させ、及び
ｉｉ）高い波面収差補正で、前記点観測場から前記遠位面によって受け取られる蛍光戻り光又は反射戻り光を蛍光波長で前記光学導波管の前記出口先端部に送るように構成される、レンズ群。
【請求項２】
前記蛍光戻り光及び前記駆動光又は前記励起光は、同じ波長を有する、請求項１に記載のレンズ群。
【請求項３】
ｉ）前記遠位面に配置され、且つ前記遠位面を構成する回折光学要素か、又は
ｉｉ）前記遠位面に配置され、且つ前記遠位面を構成する回折光学要素であって、前記レンズ群が非収束ガラス棒を備え、収束が前記回折要素によって提供される回折光学要素
を備える、請求項１に記載のレンズ群。
【請求項４】
前記レンズ群が、
ｉ）前記光学導波管の前記出口先端部から受け取った蛍光を前記点観測場に小さな許容誤差内で収束させるように、及び／又は
ｉｉ）ピコ秒パルス幅未満であり、且つ前記駆動光の波長にセンタリングされた入力光波束が、前記レンズ群を通過する際にパルス幅がわずかにのみ広がるように、
高度に補正された色シフトを有する、請求項１〜３の何れか一項に記載のレンズ群。
【請求項５】
前記レンズ群が、前記光学導波管の前記出口先端部から受け取った蛍光を前記点観測場に小さな許容誤差内で収束させるように高度に補正された色シフトを有しており、
ａ）前記レンズ群によって収束される光の開口数が、（ｉ）前記レンズ群が公称駆動光波長での前記光学導波管から光を受け取る場合、０．１５以上であり、及び（ｉｉ）ピーク蛍光放射の波長で０．１５以上であり、且つ
ｂ）前記点観測場で測定される第１及び第２の対応するストレール比の積が、０．５以上であるか、又は一般化ストレール積
【数１】
2016524188.tif 000001
が０．５以上であるかの何れかであり、何れの定義であれ、蛍光撮像モードに適用可能であるような分解能及び収差補正基準を有する、請求項１に記載のレンズ群。
【請求項６】
ｉ）前記レンズ群が、ピコ秒パルス幅未満であり、且つ前記駆動光の波長にセンタリングされた入力光波束が、前記レンズ群を通過する際にパルス幅がわずかにのみ広がるように、高度に補正された色シフトを有しており、前記レンズ群が、公称駆動波長でセンタリングされ、且つ持続時間が２０フェムト秒である入力光波束が、前記レンズ群からのマルチパス寄与により、等しい中心波長であり、且つ１００フェムト秒未満の持続時間の波束に幅広化されるように定義されるパルス広がり基準を有するか、又は
ｉｉ）前記レンズ群が、１つのタイプのガラスを備え、透過波動場が０．５未満のストレール比を生成する程度まで分散させるのに不十分な透過時間を有するような量のガラスを含み、それにより、間隔の狭い駆動／蛍光波長対に適応する、
請求項１に記載のレンズ群。
【請求項７】
（ｉ）前記レンズ群内の２つの異なるガラスと、前記２つの異なるガラス間の球形界面と、非球面である遠位面とを備え、それにより、波長４５０ｎｍ〜８５０ｎｍの幅広可視光スペクトルの駆動／蛍光波長対に適応するか、又は
（ｉｉ）２つ以上のタイプの複数のガラスを含み、相殺分散を有し、且つ幅広可視光スペクトル波長範囲４５０ｎｍ〜８５０ｎｍ内の任意の駆動／蛍光波長対との併用に適応する、
請求項５に記載のレンズ群。
【請求項８】
均質円柱ロッドと、前記均質円柱ロッドの遠位端部に接合された回折格子とを備え、
ｉ）前記格子が、前記駆動光を前記点観測場に収束させ、且つ前記戻り光を前記点観測場から前記光学導波管の前記出口先端部に案内するか、又は
ｉｉ）前記格子が、前記駆動光を前記点観測場に収束させ、前記格子は、前記戻り光を前記光学導波管の前記出口先端部に案内し、前記格子の第１の部分は前記駆動光を収束させるように構成され、第２の部分は前記戻り光を収集するように構成される、
請求項１に記載のレンズ群。
【請求項９】
製造後に一緒に接着されるか、又は他の方法で接合される複数のレンズ要素を備える、請求項１〜８の何れか一項に記載のレンズ群。
【請求項１０】
請求項１〜９の何れか一項に記載のレンズ群を備える光学系。
【請求項１１】
前記光学導波管を備える、請求項１０に記載の光学系。
【請求項１２】
前記光学導波管を保持するように構成されるカンチレバーマウントと、
前記光学導波管に取り付けられる磁石と、
ｉ）前記レンズ群の前記遠位面が高速でスキャンされて、前記戻り光から広視野像を構築するような２平面で前記磁石を振動させる駆動系か、又はｉｉ）前記レンズ群の前記遠位面が高速でスキャンされて、前記戻り光から広視野像を構築するような２平面で前記磁石を振動させる駆動系であって、少なくとも５００Ｈｚの周波数で第１の方向でスキャンし、及び少なくとも０．５Ｈｚの周波数で、前記第１の方向に直交する第２の方向でスキャンするように構成され、それにより、視野が少なくとも２００μｍ×２００μｍである像を前記戻り光から取得することができる駆動系と
を更に備える、請求項１１に記載の光学系。
【請求項１３】
主コアと、高度マルチモード補助コアとを有する光学導波管と、
それぞれ均一の屈折率の１つ又は複数のレンズ要素と
を備え、前記光学導波管の出口先端部は、レンズ群の近位面に実質的に接触して配置され、
前記主コアは、駆動光又は励起光を光源から前記レンズ群に送るように構成され、
前記レンズ群は、
ｉ）高い波面収差補正で、光学導波管の出口先端部から受け取られる前記駆動光又は前記励起光を、前記レンズ群の遠位面を超えて狭い点像分布関数を有する点観測場に収束させ、
ｉｉ）中程度の収差補正で、蛍光を前記点観測場から蛍光波長での前記光学導波管の前記出口先端部に送る
ように構成され、且つ
前記補助コアは、前記蛍光を受け取るように構成される、光学系。
【請求項１４】
ａ）前記光学導波管が公称駆動波長で駆動される場合、前記収束光の開口数が０．１５以上であり、及び
ｂ）ストレール積べき乗
【数２】
2016524188.tif 000002
が、Ｎ光子撮像の場合、０．５以上であるような分解能及び収差補正基準を有する、請求項１３に記載の光学系。
【請求項１５】
ｉ）前記光学導波管は、１つ又は複数の補助導光コアを更に備え、それにより、前記撮像開口数は、主高分解能値と低値との間で場合により中間ステップを有して切り換えられて、ユーザが、軸方向粗分解能並びに部位誤差及び手の不安定性に対する高耐性で、像を容易に位置決めし、次に、標的組織が識別されると、高分解能モードに切り換えられるようにすることができる、及び／又は
ｉｉ）前記光学導波管は、異なる撮像深度からの前記戻り光を選択的に受け取る１つ又は複数の軸方向導光コア及び横方向にオフセットした補助導光コアを更に備える、及び／又は
ｉｉｉ）前記レンズ群の頂点のスキャン面に平行であるように選択される表面形状を有する準楕円体光学窓を備え、それにより、前記レンズ群、前記光学窓の瞬間光学活性領域、及び前記光学窓の遠位側の前記点観測場の相対的ジオメトリは、スキャンの像取得部分全体を通して変わらないままである、
請求項１０〜１４の何れか一項に記載の光学系。
【請求項１６】
光学導波管と、複数のレンズ要素を備える請求項１に記載のレンズ群とを、前記光学導波管の出口先端部が前記レンズ群の近位面に実質的に接触する状態で、位置合わせ治具に取り付けることと、
前記光学導波管を光学的に駆動することと、
出力光を前記レンズ群から光学検出器に向けることと、
前記レンズ群及び前記光学導波管の相対位置及び向きを調整することにより、収差最小最適相対位置及び向きを確立することと、
前記レンズ要素を固定相対位置及び向きに接合するか、又は他の方法で組み立てることと
を含む、能動的位置合わせ方法。
【請求項１７】
レンズ表面品質評価方法であって、
請求項１０〜１５の何れか一項に記載の光学系の焦点に既知の直径のピンホールを位置決めすることと、
前記光学導波管を光学的に駆動することと、
前記ピンホール透過電力を測定することと、
前記ピンホールを除去し、及び合計出力電力を測定することと、
前記合計電力に対する前記ピンホール透過電力の比率から、前記レンズの二乗平均平方根表面粗さの測定値を特定することと
を含む、方法。
【請求項１８】
請求項１０〜１５の何れか一項に記載の光学系を備える生体内一光子又は多光子デスキャン蛍光撮像システム。